(57)【要約】【課題】  光ディスクの再生中に、メニュ画面、チャプタ一覧を再生中の映像画面の上に重畳して縮小画面に表示し、再生中の映像を見ながら再生中の音声の切換、再生を所望するチャプタの選択等を行うことができるようにする。【解決手段】  ディスク再生装置の動作状態を判別して、メニュ画面の表示が指令されたとき、ディスク再生装置が光ディスクの再生中である場合、メニュ画面を再生中の映像画面の上に重畳して縮小画面に表示し、ディスク再生装置が光ディスクの再生停止中である場合、メニュ画面を全画面表示して、表示されたメニュ画面の選択項目を選択して、ディスク再生装置の動作させるようにする。【選択図】        図３
2005149558.tif 000002
【特許請求の範囲】
【請求項１】
光ディスクに記録された映像音声信号を再生するディスク再生装置であって、
メニュ画面の表示を指令する指令手段と、メニュ画面の選択項目を選択する選択手段と、前記ディスク再生装置の動作状態を判別する判別手段と、前記指令手段によりメニュ画面の表示が指令されたとき、前記判別手段により前記ディスク再生装置が光ディスクの再生中であると判別された場合、メニュ画面を再生中の映像画面の上に重畳して縮小画面に表示し、前記判別手段により前記ディスク再生装置が光ディスクの再生停止中であると判別された場合、メニュ画面を全画面表示する表示手段であって、前記選択手段によりメニュ画面の選択項目のチャプタ一覧が選択されたとき、前記判別手段により前記ディスク再生装置が光ディスクの再生中であると判別された場合、チャプタ一覧を再生中の映像画面の上に重畳して縮小画面に表示して、再生中のチャプタをハイライト表示するとともに、チャプタ一覧が縮小画面の一画面に表示しきれない場合、所定の操作キーが操作されたとき、チャプタ一覧の表示をスクロールさせて表示し、所定の操作キーが所定時間継続して操作されたとき、チャプタ一覧の表示をスクロールさせることを報知して、所定時間毎にチャプタ一覧の表示をスクロールさせて表示し、前記判別手段により前記ディスク再生装置が光ディスクの再生停止中であると判別された場合、チャプタ一覧を全画面表示する表示手段と、前記選択手段の選択に基づいて前記ディスク再生装置を所定動作させる制御手段とを備えたことを特徴とするディスク再生装置。
【請求項２】
光ディスクに記録された映像音声信号を再生するディスク再生装置であって、
メニュ画面の表示を指令する指令手段と、前記ディスク再生装置の動作状態を判別する判別手段と、前記指令手段によりメニュ画面の表示が指令されたとき、前記判別手段により前記ディスク再生装置が光ディスクの再生中であると判別された場合、メニュ画面を再生中の映像画面の上に重畳して縮小画面に表示し、前記判別手段により前記ディスク再生装置が光ディスクの再生停止中であると判別された場合、メニュ画面を全画面表示する表示手段と、前記表示手段により表示されたメニュ画面の選択項目を選択する選択手段と、前記選択手段の選択に基づいて前記ディスク再生装置を所定動作させる制御手段とを備えたことを特徴とするディスク再生装置。
【請求項３】
前記表示手段は、前記選択手段によりメニュ画面の選択項目のチャプタ一覧が選択されたとき、前記判別手段により前記ディスク再生装置が光ディスクの再生中であると判別された場合、チャプタ一覧を再生中の映像画面の上に重畳して縮小画面に表示し、前記判別手段により前記ディスク再生装置が光ディスクの再生停止中であると判別された場合、チャプタ一覧を全画面表示する表示手段であることを特徴とする請求項２記載のディスク再生装置。
【請求項４】
前記表示手段は、チャプタ一覧を再生中の映像画面の上に重畳して縮小画面に表示したとき、再生中のチャプタをハイライト表示する表示手段であることを特徴とする請求項３記載のディスク再生装置。
【請求項５】
前記表示手段は、チャプタ一覧を再生中の映像画面の上に重畳して縮小画面に表示したとき、チャプタ一覧が縮小画面の一画面に表示しきれない場合、所定の操作キーが操作されたとき、チャプタ一覧の表示をスクロールさせて表示する表示手段であることを特徴とする請求項３記載のディスク再生装置。
【請求項６】
前記表示手段は、チャプタ一覧を再生中の映像画面の上に重畳して縮小画面に表示したとき、チャプタ一覧が縮小画面の一画面に表示しきれない場合、所定の操作キーが所定時間継続して操作されたとき、所定時間毎にチャプタ一覧の表示をスクロールさせて表示する表示手段であることを特徴とする請求項３記載のディスク再生装置。
【請求項７】
前記表示手段は、再生中の映像画面に重畳して縮小画面に表示したチャプタ一覧の表示をスクロールさせることを報知して、チャプタ一覧の表示をスクロールさせて表示する表示手段であることを特徴とする請求項６記載のディスク再生装置。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）等の光ディスクに記録された映像音声信号を再生するディスク再生装置に係り、特に光ディスクの再生中に、再生を中断することなく、メニュ画面、チャプタ一覧を再生中の映像画面の上に重畳して縮小画面に表示して、再生中の映像を見ながらメニュ画面の選択項目、チャプタ一覧のチャプタを選択することができるディスク再生装置に関する。
【背景技術】
【０００２】
従来、ＤＶＤ等の光ディスクに記録された映像音声信号を再生するディスク再生装置は、ディスク再生装置の外部に接続されたモニタ装置の画面に表示されたメニュ画面の選択項目を選択して、ディスク再生装置を所望動作させ、モニタ装置に出力された映像音声を視聴することができるようになっている。しかし、光ディスクの再生中に、メニュ画面の表示が指令されると、モニタ装置に表示されていた再生中の映像画面がメニュ画面に切り換えられ、再生中の映像を見ながら、メニュ画面の選択項目を選択することができないという問題点があった。
【０００３】
背景技術としては、映像画面の上に重畳して映像中の各場面毎の代表縮小画像を１つ以上表示し、該一覧表示の表示領域を所定時間で段階的に拡大しながら出現させて、該一覧表示の中から次に表示すべき場面の代表縮小画像を選択させ、選択された場面の代表縮小画像の表示位置及び大きさで、その場面の映像の再生を開始させ、所定の時間をかけて徐々に画面全体での映像再生に移行するようにしたものがあった（例えば、特許文献１参照）。
【０００４】
また、指定された再生速度に応じて映像データを読み出す間隔を制御して、映像データを読み出し、読み出された所定数の映像データに対応する映像を縮小した縮小映像を所定の画面に同時に時系列的に表示させるようにしたものがあった（例えば、特許文献２参照）。
【特許文献１】特開２００１−２６８５０７号公報
【特許文献２】特開平１０−２２８７５８号公報
【発明の開示】
【発明が解決しようとする課題】
【０００５】
しかしながら、背景技術で述べたもののうち前者においては、映像画面の上に重畳して、映像中の各場面毎の代表縮小画像を１つ以上表示し、該一覧表示の表示領域を所定時間で段階的に拡大しながら出現させて、該一覧表示の中から次に表示すべき場面の代表縮小画像を選択させ、選択された場面の代表縮小画像の表示位置及び大きさで、その場面の映像の再生を開始させ、所定の時間をかけて徐々に画面全体での映像再生に移行するようにしたものであって、光ディスクの再生中にメニュ画面の表示が指令されたとき、メニュ画面が全画面表示されるため、再生中の映像を見ながらメニュ画面の選択項目を選択することができないという上記した問題点を解決するものではなかった。
【０００６】
また、後者においては、指定された再生速度に応じて映像データを読み出す間隔を制御して、映像データを読み出し、読み出された所定数の映像データに対応する映像を縮小した縮小映像を所定の画面に同時に時系列的に表示させるようにしたものであって、上記同様、光ディスクの再生中にメニュ画面の表示が指令されたとき、メニュ画面が全画面表示されるため、再生中の映像を見ながらメニュ画面の選択項目を選択することができないという上記した問題点を解決するものではなかった。
【０００７】
本発明は、背景技術の有するこのような問題点に鑑みてなされたものであり、その目的とするところは、光ディスクの再生中に、メニュ画面、チャプタ一覧を再生中の映像画面の上に重畳して縮小画面に表示し、再生中の映像を見ながら再生中の音声の切換、再生を所望するチャプタの選択等を行うことができるディスク再生装置を提供しようとするものである。
【課題を解決するための手段】
【０００８】
上記目的を達成するため本発明においては、光ディスクに記録された映像音声信号を再生するディスク再生装置であって、メニュ画面の表示を指令する指令手段と、前記ディスク再生装置の動作状態を判別する判別手段と、前記指令手段によりメニュ画面の表示が指令されたとき、前記判別手段により前記ディスク再生装置が光ディスクの再生中であると判別された場合、メニュ画面を再生中の映像画面の上に重畳して縮小画面に表示し、前記判別手段により前記ディスク再生装置が光ディスクの再生停止中であると判別された場合、メニュ画面を全画面表示する表示手段と、前記表示手段により表示されたメニュ画面の選択項目を選択する選択手段と、前記選択手段の選択に基づいて前記ディスク再生装置を所定動作させる制御手段とを備える。
【０００９】
前記表示手段は、前記選択手段によりメニュ画面の選択項目のチャプタ一覧が選択されたとき、前記判別手段により前記ディスク再生装置が光ディスクの再生中であると判別された場合、チャプタ一覧を再生中の映像画面の上に重畳して縮小画面に表示し、前記判別手段により前記ディスク再生装置が光ディスクの再生停止中であると判別された場合、チャプタ一覧を全画面表示するようにするとよい。
【００１０】
また、前記表示手段は、チャプタ一覧を再生中の映像画面の上に重畳して縮小画面に表示したとき、再生中のチャプタをハイライト表示するようにするとよい。
【００１１】
前記表示手段は、チャプタ一覧を再生中の映像画面の上に重畳して縮小画面に表示したとき、チャプタ一覧が縮小画面の一画面に表示しきれない場合、所定の操作キーが操作されたとき、チャプタ一覧の表示をスクロールさせて表示するようにするとよい。
【００１２】
前記表示手段は、チャプタ一覧を再生中の映像画面の上に重畳して縮小画面に表示したとき、チャプタ一覧が縮小画面の一画面に表示しきれない場合、所定の操作キーが所定時間継続して操作されたとき、所定時間毎にチャプタ一覧の表示をスクロールさせて表示するようにするとよい。
【００１３】
前記表示手段は、再生中の映像画面に重畳して縮小画面に表示したチャプタ一覧の表示をスクロールさせることを報知して、チャプタ一覧の表示をスクロールさせて表示するようにするとよい。
【００１４】
これらの手段により、光ディスクの再生中に、メニュ画面、チャプタ一覧を再生中の映像画面の上に重畳して縮小画面に表示し、再生中の映像を見ながら再生中の音声の切換、再生を所望するチャプタの選択等を行うことができる。
【発明の効果】
【００１５】
請求項１記載の発明に係るディスク再生装置によれば、メニュ画面の表示が指令されたとき、ディスク再生装置が光ディスクの再生中である場合、メニュ画面を再生中の映像画面の上に重畳して縮小画面に表示し、ディスク再生装置が光ディスクの再生停止中である場合、メニュ画面を全画面表示して、メニュ画面の選択項目のチャプタ一覧が選択されたとき、ディスク再生装置が光ディスクの再生中である場合、チャプタ一覧を再生中の映像画面の上に重畳して縮小画面に表示して、再生中のチャプタをハイライト表示するとともに、チャプタ一覧が縮小画面の一画面に表示しきれない場合、所定の操作キーが操作されたとき、チャプタ一覧の表示をスクロールさせて表示し、所定の操作キーが所定時間継続して操作されたとき、チャプタ一覧の表示をスクロールさせることを報知して、所定時間毎にチャプタ一覧の表示をスクロールさせて表示し、ディスク再生装置が光ディスクの再生停止中である場合、チャプタ一覧を全画面表示して、メニュ画面、チャプタ一覧の選択に基づいてディスク再生装置を所定動作させるようにしているので、ユーザは、再生中の映像を見ながらメニュ画面の選択項目を選択して再生中の音声の切換等を行うことができるとともに、メニュ画面の選択項目のチャプタ一覧を選択してチャプタ一覧を表示し、再生中の映像を見ながら再生を所望するチャプタの選択して、選択されたチャプタから光ディスクを再生することができる。
【００１６】
請求項２記載の発明に係るディスク再生装置によれば、メニュ画面の表示が指令されたとき、ディスク再生装置の動作状態を判別して、ディスク再生装置が光ディスクの再生中である場合、メニュ画面を再生中の映像画面の上に重畳して縮小画面に表示し、ディスク再生装置が光ディスクの再生停止中である場合、メニュ画面を全画面表示して、表示されたメニュ画面の選択項目を選択して、その選択に基づいてディスク再生装置を所定動作させるようにしているので、ユーザは、再生中の映像を見ながら、メニュ画面の選択項目を選択して、再生中の音声の切換等を行うことができる。
【００１７】
請求項３記載の発明に係るディスク再生装置によれば、メニュ画面の選択項目のチャプタ一覧が選択されたとき、ディスク再生装置が光ディスクの再生中である場合、チャプタ一覧を再生中の映像画面の上に重畳して縮小画面に表示し、ディスク再生装置が光ディスクの再生停止中である場合、チャプタ一覧を全画面表示するようにしているので、ユーザは、再生中の映像を見ながら、チャプタ一覧の再生を所望するチャプタの選択して、選択したチャプタから光ディスクを再生することができる。
【００１８】
請求項４記載の発明に係るディスク再生装置によれば、チャプタ一覧を再生中の映像画面の上に重畳して縮小画面に表示したとき、再生中のチャプタをハイライト表示するようにしているので、ユーザは、再生中のチャプタが容易にわかる。
【００１９】
請求項５記載の発明に係るディスク再生装置によれば、チャプタ一覧を再生中の映像画面の上に重畳して縮小画面に表示したとき、チャプタ一覧が縮小画面の一画面に表示しきれない場合、所定の操作キーが操作されたとき、チャプタ一覧の表示をスクロールさせて表示するしているので、ユーザは、所定の操作キーを操作することにより、縮小画面に表示されたチャプタ一覧をスクロールさせて、光ディスクに記録された全チャプタを容易に把握することができる。
【００２０】
請求項６記載の発明に係るディスク再生装置によれば、チャプタ一覧を再生中の映像画面の上に重畳して縮小画面に表示したとき、チャプタ一覧が縮小画面の一画面に表示しきれない場合、所定の操作キーが所定時間継続して操作されたとき、所定時間毎にチャプタ一覧の表示をスクロールさせて表示するようにしているので、ユーザは、所定の操作キーを所定時間継続して操作することにより、縮小画面に表示されたチャプタ一覧を所定時間毎にスクロールさせて、光ディスクに記録された全チャプタを容易に把握することができる。
【００２１】
請求項７記載の発明に係るディスク再生装置によれば、再生中の映像画面に重畳して縮小画面に表示したチャプタ一覧の表示をスクロールさせることを報知して、チャプタ一覧の表示をスクロールさせて表示するようにしているので、ユーザは、チャプタ一覧の表示がスクロールされることが容易にわかる。
【発明を実施するための最良の形態】
【００２２】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置の画面表示例を示す説明図であり、図４、図５は本発明の一実施例のディスク再生装置の動作を示すフローチャートである。
【００２３】
まず、図１の本発明の一実施例のディスク再生装置の構成を示すブロック図を基に説明する。
【００２４】
ディスク再生装置１は、光ディスク２に記録されている映像音声信号を光学的に読み出す光ピックアップ３と、光ディスク２を回転させるスピンドルモータ４と、スピンドルモータ４を駆動し、光ピックアップ３を光ディスク２の半径方向に移動させるスレッドモータ（図示せず）を駆動して、光ピックアップ３のフォーカスとトラッキングとを制御するサーボ回路５と、光ピックアップ３により読み出された映像音声信号を基準クロックに基づいて同期検出し、アナログ信号の映像音声信号をデジタル信号に変換する同期検出／ＡＤ変換回路６と、デジタル信号に変換された映像音声信号を復調し、復調された映像音声信号の誤りを訂正する復調／誤り訂正回路７と、所定の圧縮方式に基づいて圧縮された映像音声信号を伸張して、元の映像音声信号を復号するデコーダ８と、復号された映像音声信号を所定の信号方式に従ったコンポジット信号の映像音声信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像音声信号に符号化し、符号化された映像音声信号をアナログ信号の映像音声信号に変換するエンコーダ／ＤＡ変換回路９と、文字情報信号を映像信号に重畳して、文字情報をモニタ装置３０に表示するＯＳＤ（Ｏｎ−Ｓｃｒｅｅｎ  Ｃｈａｒａｃｔｅｒ  Ｄｉｓｐｌａｙ）回路１０と、ディスク再生装置１のシステム全体を制御するマイコン１１と、時間を計時するタイマ１２と、リモコン装置２０から送信された赤外線信号のリモコン信号を受信して、所定の電気信号に変換するリモコン受信部１３と、ブザー音を発して報知するブザー１４とで構成されている。
【００２５】
また、リモコン装置２０には、図２に示すように、メニュ画面の表示を指令するメニュキー２０ａ、メニュ画面に表示された選択項目選択するカーソルキー２０ｂ、カーソルキー２０ｂによって選択された選択項目の選択を決定する決定キー２０ｃ等の複数の操作キーが設けられていて、それらの操作キーを操作することによりディスク再生装置１を所望動作させることができるようになっている。なお、カーソルキー２０ｂは、上矢印キー、下矢印キー、左矢印キー、右矢印キーの４つの操作キーで構成されている。
【００２６】
以上のように構成されたディスク再生装置について、以下その動作について説明する。
【００２７】
リモコン装置２０の操作キーが操作されると、操作された操作キーのリモコン信号がリモコン装置２０から赤外線信号のリモコン信号として送信され、リモコン受信部１３により受信され、所定の電気信号に変換されてマイコン１１に送出される。メニュ画面の表示を指令するリモコン装置２０のメニュキー２０ａのリモコン信号を受信すると、マイコン１１は、ディスク再生装置１が光ディスク２の再生中であるか否かを判別して、ディスク再生装置１が光ディスクの再生中でない場合、文字情報信号と制御信号とをＯＳＤ回路１０に送出して、モニタ装置３０の画面３０ａにメニュ画面を全画面表示し、カーソルマークＡを表示する（図３（ａ）参照）。そして、リモコン装置２０のカーソルキー２１ｂが操作されると、マイコン１１は、文字情報信号と制御信号とをＯＳＤ回路１０に送出して、モニタ装置３０の画面３０ａに全画面表示されたメニュ画面のカーソルマークＡを移動させ、リモコン装置２０の決定キー２１ｃが操作されると、カーソルマークＡにより指示されたメニュ画面の選択項目に基づいてディスク再生装置１を所定動作させる。
【００２８】
リモコン装置２０のカーソルキー２１ｂと決定キー２０ｃとの操作により全画面表示されたメニュ画面の「再生」が選択されると（図３（ａ）参照）、マイコン１１は、ＯＳＤ回路１０に制御信号を送出して、モニタ装置３０の画面３０ａに全画面表示されたメニュ画面を消去し、サーボ回路５に制御信号を送出して、スピンドルモータ４とスレッドモータ（図示せず）とを駆動し、光ピックアップ３を光ディスク２の半径方向に移動させて、光ディスク２を最初から再生し、再生中の映像をモニタ装置３０の画面に全画面表示する（図示せず）。
【００２９】
また、リモコン装置２０のカーソルキー２０ｂと決定キー２０ｃとの操作により全画面表示されたメニュ画面の「チャプタ一覧」が選択されると、マイコン１１は、サーボ回路５に制御信号を送出して、スピンドルモータ４とスレッドモータ（図示せず）とを駆動し、光ピックアップ３を光ディスク２の半径方向に移動させて、光ディスク２に記録されたチャプタを読み出し、文字情報信号と制御信号とをＯＳＤ回路１０に送出して、モニタ装置３０の画面３０ａにチャプタ一覧を全画面表示し、モニタ装置３０の画面３０ａに表示されたチャプタ一覧が一画面に表示しきれない場合、チャプタ一覧が下に続くことを示すスクロールマークＢをモニタ装置３０の画面３０ａの下部に表示する（図３（ｂ）参照）。リモコン装置２０のカーソルキー２０ｂの下矢印キーが操作されて、全画面表示されたチャプタ一覧の画面３０ａからカーソルマークＡが消えると、マイコン１１は、文字情報信号と制御信号とをＯＳＤ回路１１に送出して、チャプタ一覧の表示を上方向にスクロールして次のチャプタを表示し、画面３０ａの上部にチャプタ一覧のチャプタが上に続くことを示すスクロールマークＣを表示する（図３（ｃ）参照）。そして、リモコン装置２０のカーソルキー２０ｂと決定キー２０ｃとの操作によりモニタ装置３０の画面３０ａに全画面表示されたチャプタ一覧のチャプタが選択されると、マイコン１１は、ＯＳＤ回路１０に制御信号を送出して、モニタ装置３０の画面３０ａに全画面表示されたチャプタ一覧を消去し、サーボ回路５に制御信号を送出して、スピンドルモータ４とスレッドモータ（図示せず）とを駆動し、光ピックアップ３を光ディスク２の半径方向に移動させて、選択されたチャプタから光ディスク２を再生し、再生中の映像を全画面表示する（図示せず）。なお、図示していないが、モニタ装置３０の画面３０ａに表示されたチャプタ一覧が下に続かない場合、スクロールマークＡは表示されないようになっている。また、モニタ装置３０の画面３０ａにチャプタ一覧が全画面表示されているとき、リモコン装置２０のメニュキー２０ａが操作されると、全画面表示されたチャプタ一覧が消去され、メニュ画面がモニタ装置３０の画面に全画面表示されるようになっている。
【００３０】
また、リモコン装置２０のカーソルキーと決定キーとの操作によりモニタ装置３０の画面３０ａに全画面表示されたメニュ画面の「音声切換」が選択されると（図３（ａ）参照）、マイコン１１は、エンコーダ／ＤＡ変換回路９に制御信号を送出して、ディスク再生装置１から出力される音声出力を他の音声出力、例えば、主音声と副音声とを切り換え、或いはステレオとモノラルとを切り換える。
【００３１】
ディスク再生装置１が光ディスク２の再生中に、メニュ画面の表示を指令するリモコン装置２０のメニュキー２０ａのリモコン信号を受信すると、マイコン１１は、文字情報信号と制御信号とをＯＳＤ回路１０に送出して、メニュ画面をモニタ装置３０の画面３０ａに表示された再生中の映像画面Ｄの上に重畳して縮小画面Ｅに表示し、カーソルマークＡを表示する（図３（ｄ）参照）。そして、リモコン装置２０のカーソルキー２１ｂが操作されると、マイコン１１は、文字情報信号と制御信号とをＯＳＤ回路１０に送出して、モニタ装置３０の画面３０ａの縮小画面Ｅに表示されたメニュ画面のカーソルマークＡを移動させ、リモコン装置２０の決定キー２１ｃが操作されると、カーソルマークＡにより指示されたメニュ画面の選択項目に基づいてディスク再生装置１を所定動作させる。なお、メニュ画面がモニタ装置３０の画面３０ａの縮小画面Ｅに表示されているとき、リモコン装置２０のメニュキー２０ａが操作されると、モニタ装置３０の画面３０ａの縮小画面Ｅに表示されたメニュ画面が消去されて、再生中の映像がモニタ装置３０の画面に全画面表示されるようになっている（図示せず）。
【００３２】
また、リモコン装置２０のカーソルキー２０ｂと決定キー２０ｃとの操作によりモニタ装置３０の画面３０ａの縮小画面Ｅに表示されたメニュ画面の「チャプタ一覧」が選択されると、マイコン１１は、サーボ回路５に制御信号を送出して、スピンドルモータ４とスレッドモータ（図示せず）とを駆動し、光ピックアップ３を光ディスク２の半径方向に移動させて、光ディスク２に記録されたチャプタを読み出し、文字情報信号と制御信号とをＯＳＤ回路１０に送出して、モニタ装置３０の画面３０ａに表示された再生中の映像画面Ｄの上に重畳してチャプタ一覧を縮小画面Ｅに表示し、再生中のチャプタをハイライト表示し（図３（ｅ）参照。なお、同図では、ハイライト表示を矩形枠で示している）、モニタ装置３０の画面３０ａの縮小画面Ｅに表示されたチャプタ一覧が一画面に表示しきれない場合、縮小画面Ｅに表示されたチャプタ一覧の表示の上右側にチャプタ一覧が下に続くことを示すスクロールマークＢを表示する（図３（ｅ）参照）。リモコン装置２０のカーソルキー２０ｂの下矢印キーが操作されて、チャプタ一覧が表示された縮小画面ＥからカーソルマークＡが消えると、マイコン１１は、文字情報信号と制御信号とをＯＳＤ回路１１に送出して、チャプタ一覧の表示を上方向にスクロールして次のチャプタを表示し、縮小画面Ｅに表示されたチャプタ一覧の上右側にチャプタ一覧のチャプタが上に続くことを示すスクロールマークＣを表示する（図３（ｆ）参照）。そして、リモコン装置２０のカーソルキー２０ｂと決定キー２０ｃとの操作により縮小画面Ｅに表示されたチャプタ一覧のチャプタが選択されると、マイコン１１は、サーボ回路５に制御信号を送出して、スピンドルモータ４とスレッドモータ（図示せず）とを駆動し、光ピックアップ３を光ディスク２の半径方向に移動させて、選択されたチャプタから光ディスク２を再生し、ＯＳＤ回路１０に制御信号を送出して、再生中のチャプタをハイライト表示する（図３（ｃ）参照）。
【００３３】
また、リモコン装置２０のカーソルキー２０ｂの下矢印キー又は上矢印キーが所定時間、例えば、３秒以上継続して操作されると、マイコン１１は、文字情報信号と制御信号とをＯＳＤ回路１０に送出して、所定時間毎、例えば、５秒毎に縮小画面Ｅに表示されたチャプタ一覧の表示を上方向又は下方向にスクロールする自動スクロールを開始する。モニタ装置３０の画面３０ａの縮小画面Ｅに表示されたチャプタ一覧の表示の自動スクロールが開始されると、マイコン１１は、所定時間毎にブザー１４を鳴動させてチャプタ一覧の表示をスクロールすることを報知し、文字情報信号と制御信号とをＯＳＤ回路１０に送出して、モニタ装置３０の画面３０ａの縮小画面Ｅに表示されたチャプタ一覧の表示をスクロールする。なお、チャプタ一覧の自動スクロール中に、リモコン装置２０のカーソルキー２０ｂが操作されると、チャプタ一覧の自動スクロールが停止され、チャプタ一覧の表示がカーソルマークＡの位置に移動して、カーソルマークＡにより指示されていたチャプタがモニタ装置３０の画面３０ａの縮小画面Ｅのチャプタ一覧に表示されようになっている。また、図示していないが、モニタ装置３０の画面３０ａに表示されたチャプタ一覧のチャプタが下に続かない場合、スクロールマークＡは表示されないようになっている。また、モニタ装置３０の画面３０ａに表示された再生中の映像画面の上に重畳して縮小画面Ｅにチャプタ一覧が表示されているとき、リモコン装置２０のメニュキー２０ａが操作されると、縮小画面Ｅに表示されたチャプタ一覧が消去されて、再生中の映像がモニタ装置３０の画面に全画面表示されるようになっている。また、モニタ装置３０の画面３０ａの縮小画面Ｅにチャプタ一覧が表示されているとき、リモコン装置２０のメニュキー２０ａが操作されると、縮小画面Ｅに表示されたチャプタ一覧が消去されて、メニュ画面が縮小画面Ｅに表示されるようになっている。
【００３４】
また、リモコン装置のカーソルキーと決定キーとの操作により縮小画面Ｅに表示されたメニュ画面の「音声切換」が選択されると、マイコン１１は、エンコーダ／ＤＡ変換回路９に制御信号を送出して、ディスク再生装置１から出力される再生中の音声出力を他の音声出力、例えば、主音声と副音声とを切り換え、或いはステレオとモノラルとを切り換える。
【００３５】
また、図４、図５の本発明の一実施例のディスク再生装置の動作を示すフローチャートを基に説明する。
【００３６】
リモコン装置のメニュキーが操作されると、ステップＳ１からステップＳ２に進み、ステップＳ２で、ディスク再生装置が光ディスクの再生中であるか否かが判断され、光ディスクの再生中である場合、ステップＳ３に進み、光ディスクの再生中でない場合、ステップＳ２１に進む。
【００３７】
ステップＳ３で、メニュ画面が再生中の映像画面の上に重畳して縮小画面に表示され、ステップＳ４に進む。
【００３８】
ステップＳ４で、リモコン装置のカーソルキーと決定キーとの操作により再生中の映像画面の上に重畳して縮小画面に表示されたメニュ画面の「音声切換」が選択されたか否かが判断され、「音声切換」が選択された場合、ステップＳ５に進み、「音声切換」が選択されていない場合、ステップＳ６に進む。
【００３９】
ステップＳ５で、ディスク再生装置から出力される再生中の音声出力が他の音声出力に切り換えられ、ステップＳ６に進む。
【００４０】
ステップＳ６で、リモコン装置のメニュキーが操作されたか否かが判断され、リモコン装置のメニュキーが操作された場合、ステップＳ３３に進み、リモコン装置のメニュキーが操作されていない場合、ステップＳ７に進む。
【００４１】
ステップＳ７で、リモコン装置のカーソルキーと決定キーとの操作により再生中の映像画面の上に重畳して縮小画面に表示されたメニュ画面の「チャプタ一覧」が選択されたか否かが判断され、「チャプタ一覧」が選択された場合、ステップＳ８に進み、「チャプタ一覧」が選択されていない場合、ステップＳ４に戻って、ステップＳ４からのステップを繰り返す。
【００４２】
ステップＳ８で、チャプタ一覧が再生中の映像画面の上に重畳して縮小画面に表示され、再生中のチャプタがハイライト表示されて、ステップＳ９に進む。
【００４３】
ステップＳ９で、リモコン装置のカーソルキーの操作により再生中の映像画面の上に重畳して縮小画面に表示されたチャプタ一覧に表示されたカーソルマークが移動して、チャプタ一覧の縮小画面からカーソルマークが消えたか否かが判断され、チャプタ一覧の縮小画面からカーソルマークが消えた場合、ステップＳ１０に進み、チャプタ一覧の縮小画面からカーソルマークが消えていない場合、ステップＳ１１に進む。
【００４４】
ステップＳ１０で、再生中の映像画面の上に重畳して縮小画面に表示されたチャプタ一覧の表示がスクロールされ、ステップＳ１１に進む。
【００４５】
ステップＳ１１で、リモコン装置のカーソルキーが所定時間継続して操作されたか否かが判断され、リモコン装置のカーソルキーが所定時間継続して操作された場合、ステップＳ１２に進み、リモコン装置のカーソルキーが所定時間継続して操作されていない場合、ステップＳ１７に進む。
【００４６】
ステップＳ１２で、再生中の映像画面の上に重畳して表示されたチャプタ一覧の自動スクロールが開始され、ステップＳ１３に進む。
【００４７】
ステップＳ１３で、再生中の映像画面の上に重畳して縮小画面に表示されたチャプタ一覧の表示時間が所定時間経過したか否かが判断され、チャプタ一覧の表示時間が所定時間経過した場合、ステップＳ１３に進み、チャプタ一覧の表示時間が所定時間経過していない場合、ステップＳ１４に進む。
【００４８】
ステップＳ１４で、ブザーを鳴動して再生中の映像画面の上に重畳して縮小画面に表示されたチャプタ一覧の表示をスクロールすることが報知され、縮小画面に表示されたチャプタ一覧の表示がスクロールされて、ステップＳ１５に進む。
【００４９】
ステップＳ１５で、リモコン装置のカーソルキーが操作されたか否かが判断され、リモコン装置のカーソルキーが操作された場合、ステップＳ１６に進み、リモコン装置のカーソルキーが操作されていない場合、ステップＳ１３に戻って、ステップＳ１３からのステップを繰り返す。
【００５０】
ステップＳ１６で、再生中の映像画面の上に重畳して縮小画面に表示されたチャプタ一覧の自動スクロールが停止されて、チャプタ一覧の表示がカーソルマークの位置に移動され、カーソルマークにより指示されていたチャプタが縮小画面のチャプタ一覧に表示され、ステップＳ１７に進む。
【００５１】
ステップＳ１７で、リモコン装置のメニュキーが操作されたか否かが判断され、リモコン装置のメニュキーが操作された場合、ステップＳ３に戻って、ステップＳ３からのステップが繰り返され、リモコン装置のメニュキーが操作されていない場合、ステップＳ１８に進む。
【００５２】
ステップＳ１８で、リモコン装置のカーソルキーと決定キーとの操作により縮小画面に表示されたチャプタ一覧のチャプタが選択されたか否かが判断され、チャプタ一覧のチャプタが選択された場合、ステップＳ１９に進み、チャプタ一覧のチャプタが選択されていない場合、ステップＳ９に戻って、ステップＳ９からのステップを繰り返す。
【００５３】
ステップＳ１９で、選択されたチャプタから光ディスクが再生され、再生中のチャプタがハイライト表示されて、ステップＳ２０に進む。
【００５４】
ステップＳ２０で、リモコン装置のメニュキーが操作されたか否かが判断され、リモコン装置のメニュキーが操作された場合、ステップＳ３３に進み、リモコン装置のメニュキーが操作されていない場合、ステップＳ９に戻って、ステップＳ９からのステップを繰り返す。
【００５５】
ステップＳ２１で、メニュ画面が全画面表示され、ステップＳ２２に進む。
【００５６】
ステップＳ２２で、リモコン装置のカーソルキーと決定キーとの操作により全画面表示されたメニュ画面の「再生」が選択されたか否かが判断され、「再生」が選択された場合、ステップＳ３２に進み、「再生」が選択されていない場合、ステップＳ２３に進む。
【００５７】
ステップＳ２３で、リモコン装置のカーソルキーと決定キーとの操作により全画面メニュ画面の「音声切換」が選択されたか否かが判断され、「音声切換」が選択された場合、ステップＳ２４に進み、「音声切換」が選択されていない場合、ステップＳ２５に進む。
【００５８】
ステップＳ２４で、ディスク再生装置から出力される音声出力が他の音声出力に切り換えられ、ステップＳ２５に進む。
【００５９】
ステップＳ２５で、リモコン装置のカーソルキーと決定キーとの操作により全画面表示されたメニュ画面の「チャプタ一覧」が選択されたか否かが判断され、「チャプタ一覧」が選択された場合、ステップＳ２６に進み、「チャプタ一覧」が選択されていない場合、ステップＳ２２に戻って、ステップＳ２２からのステップを繰り返す。
【００６０】
ステップＳ２６で、チャプタ一覧が全画面表示され、ステップＳ２７に進む。
【００６１】
ステップＳ２７で、リモコン装置のカーソルキーの操作によりチャプタ一覧の表示画面に表示されたカーソルマークが移動して、チャプタ一覧の表示画面からカーソルマークが消えたか否かが判断され、チャプタ一覧の表示画面からカーソルマークが消えた場合、ステップＳ２８に進み、チャプタ一覧の表示画面からカーソルマークが消えていない場合、ステップＳ２９に進む。
【００６２】
ステップＳ２８で、全画面表示されたチャプタ一覧の表示がスクロールされて、ステップＳ２９に進む。
【００６３】
ステップＳ２９で、リモコン装置のメニュキーが操作されたか否かが判断され、リモコン装置のメニュキーが操作された場合、ステップＳ２１に戻って、ステップＳ２１からのステップが繰り返され、リモコン装置のメニュキーが操作されていない場合、ステップＳ３０に進む。
【００６４】
ステップＳ３０で、リモコン装置のカーソルキーと決定キーとの操作によりチャプタ一覧のチャプタが選択されたか否かが判断され、チャプタ一覧のチャプタが選択された場合、ステップＳ３１に進み、チャプタ一覧のチャプタが選択されていない場合、ステップＳ２７に戻って、ステップＳ２７からのステップを繰り返す。
【００６５】
ステップＳ３１で、全画面表示されたチャプタ一覧の画面が消去されて、選択されたチャプタから光ディスクが再生され、再生中の映像が全画面表示されて、ステップＳ３４に進んで処理を終了する。
【００６６】
ステップＳ３２で、全画面表示されたメニュ画面が消去されて、光ディスクが最初から再生され、再生中の映像が全画面表示されて、ステップＳ３４に進んで処理を終了する。
【００６７】
ステップＳ３３で、再生中の映像画面の上に重畳して縮小画面に表示された縮小画面が消去されて、再生中の映像が全画面表示され、ステップＳ３４に進んで処理を終了する。
【００６８】
以上、本発明を実施するための最良の形態について詳述したが、本発明はこれに限らず、当業者の通常の知識の範囲内でその変形や改良が可能である。例えば、リモコン装置に設けられた操作キーを操作してディスク再生装置を動作させることについて説明したが、リモコン装置に設けられた複数の操作キーをディスク再生装置の操作パネルにも設け、操作パネルに設けられた操作キーを操作してディスク再生装置を動作させるようにしてもよい。
【図面の簡単な説明】
【００６９】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置の画面表示例を示す説明図である。
【図４】本発明の一実施例のディスク再生装置の動作を示すフローチャートである。
【図５】本発明の一実施例のディスク再生装置の動作を示すフローチャートである。
【符号の説明】
【００７０】
１  ディスク再生装置
２  光ディスク
３  光ピックアップ
４  スピンドルモータ
５  サーボ回路
６  同期検出／ＡＤ変換回路
７  復調／誤り訂正回路
８  デコーダ
９  エンコーダ／ＤＡ変換回路
１０  ＯＳＤ回路
１１  マイコン
１２  タイマ
１３  リモコン受信部
１４  ブザー
２０  リモコン装置
２０ａ  メニュキー
２０ｂ  カーソルキー
２０ｃ  決定キー
３０  モニタ装置
３０ａ  画面
【図１】
2005149558.tif 000003
【図２】
2005149558.tif 000004
【図３】
2005149558.tif 000005
【図４】
2005149558.tif 000006
【図５】
2005149558.tif 000007